(57)【要約】【課題】製造コストが安く、水漏れの恐れがない電子機器ケースの防水構造を提供する。【解決手段】一方のケースに押圧支持されるエラストマー部材２に溝２ａを設け、他方のケース１に設けたリブ１ａを前記溝２ａと嵌合させて両ケースで囲まれる空間を水密状態とする防水構造において、前記溝２ａの底部を楔形状として前記溝の楔形状の対向する両傾斜面を前記リブ１ａの先端部の２つの角部で圧縮して変形させた。【選択図】        図１
2006013096.tif 000002
【特許請求の範囲】
【請求項１】
一方のケースに押圧支持されるエラストマー部材に溝を設け、他方のケースに設けたリブを前記溝と嵌合させて両ケースで囲まれる空間を水密状態とする防水構造において、前記溝の底部を楔形状として前記溝の楔形状の対向する両傾斜面を前記リブの先端部の２つの角部で圧縮して変形させたことを特徴とする電子機器ケースの防水構造。
【請求項２】
前記リブを楔形状として前記楔形状の根元を丸め前記根元により前記溝の両傾斜面を圧縮して変形させた請求項１の電子機器ケースの防水構造。
【請求項３】
前記リブの先端を断面半円形状として前記半円形状の根元により前記溝の両傾斜面を圧縮して変形させた請求項１の電子機器ケースの防水構造。
【請求項４】
前記溝の楔形状の両傾斜面を断面凸円形状とした請求項１から３のいずれかに記載した電子機器ケースの防水構造。
【請求項５】
一方のケースに押圧支持されるエラストマー部材に溝を設け、他方のケースに設けたリブを前記溝と嵌合させて両ケースで囲まれる空間を水密状態とする防水構造において、前記溝の両側面を前記リブで圧縮して変形させたことを特徴とする電子機器ケースの防水構造。
【請求項６】
前記溝の底部を楔形状として前記楔形状の対向する両傾斜面を前記リブの先端部の２つの角部で圧縮して変形させたことを特徴とする請求項５の電子機器ケースの防水構造。
【発明の詳細な説明】
【技術分野】
【０００１】
この発明は電子機器に係わり、特に、そのケースの防水構造に関する。
【背景技術】
【０００２】
図８は従来の電子機器ケースの防水構造の例を示す断面図である。図８において、１は剛性の高い材料である樹脂で作られケースの一部を形成するパネル、２はエラストマー部材例えばゴムで作られたキートップ、３は高剛性材料で作られたプリント基板である。
【０００３】
パネル１と図示していなケースはキートップ２とプリント基板３とを挟み込むようにして締着されている。キートップ２に設けられたループ状の溝２ａにはパネル１にループ状に形成されたリブ１ａが嵌合している。溝２ａの自然状態での輪郭線は黒塗り部分の上側であるが、組み付け状態でリブ１ａに押されて輪郭線は黒塗り部分の下側となる。すなわち、黒塗り部分は溝２ａが押しつぶされて変形した部分を示す。このようにキートップ２の溝２ａが変形されるようにリブ１ａに圧接されており防水構造が構成されている。
【０００４】
図９は従来の電子機器ケースの防水構造の他の例を示す断面図である。図９において、パネル１、キートップ２、プリント基板３は図８で説明したものと同様のものであり、パネル１は図示していなケースに締着されている。また、キートップ２に設けられたループ状の溝２ａにはパネル１にループ状に形成されたリブ１ａが嵌合している。
【０００５】
溝２ａの自然状態での輪郭線は黒塗り部分の右端であるが組み付け状態でリブ１ａに押されて輪郭線は黒塗り部分の左端となる。すなわち、黒塗り部分は溝２ａが押しつぶされて変形した部分を示す。このようにキートップ２の溝２ａが変形されるようにリブ１ａに圧接されており防水構造が構成されている。
【０００６】
上記した図８に示す従来の防水構造によると、キートップ２はリブ１ａにより図示の矢印Ａで示す方向の押圧力を受ける。この押圧力に対してプリント基板３は同じ大きさの図示Ｂ方向の反力で支えられる。
【０００７】
そして、キートップ２を支える部材であるプリント基板３の剛性が低いと変形して他の場所に悪影響を及ぼすことがある。そのため、プリント基板３が反力により変形しないように高い取り付け剛性が必要であった。また、水の侵入を止める場所が１か所であるため寸法誤差により突き当て圧力が減少すると水が侵入する恐れがあった。
【０００８】
上記した図９に示す従来の防水構造によると、キートップ２の溝２ａはリブ１ａにより横方向に変形する。そのため防水ラインにコーナ部があると、公差内の微妙な寸法ずれによりコーナ部で隙間ができ水が侵入する恐れがあった。従って、寸法公差を厳密にする必要があり、製造コストが高くなるという問題があった。
【０００９】
特開２０００−５９８７３号公報に提案されたマイクロホンケースの防水構造では、ゴムパッキンの鰭状部４ｃの変形によるケース内面に対する圧接により防水状態が保たれる。この防水構造によるとゴムの剛性が低いため、十分な圧接力が得られず、水漏れの恐れがあった。
【特許文献１】特開２０００−５９８７３号公報、段落０００９、図２
【発明の開示】
【発明が解決しようとする課題】
【００１０】
この発明は上記した点に鑑みてなされたものであって、その目的とするところは、製造コストが安く、水漏れの恐れがない電子機器ケースの防水構造を提供することにある。
【課題を解決するための手段】
【００１１】
この発明の電子機器ケースの防水構造は、一方のケースに押圧支持されるエラストマー部材に溝を設け、他方のケースに設けたリブを前記溝と嵌合させて両ケースで囲まれる空間を水密状態とする防水構造において、前記溝の底部を楔形状として前記溝の楔形状の対向する両傾斜面を前記リブの先端部の２つの角部で圧縮して変形させたものである。
【００１２】
また、前記防水構造において、前記リブを楔形状として前記楔形状の根元を丸め前記根元により前記溝の両傾斜面を圧縮して変形させたものである。
【００１３】
また、同防水構造において、前記リブの先端を断面半円形状として前記半円形状の根元により前記溝の両傾斜面を圧縮して変形させたものである。
【００１４】
また、前記各防水構造において、前記溝の楔形状の両傾斜面を断面凸円形状としたものである。
【００１５】
また、この発明の電子機器ケースの防水構造は、一方のケースに押圧支持されるエラストマー部材に溝を設け、他方のケースに設けたリブを前記溝と嵌合させて両ケースで囲まれる空間を水密状態とする防水構造において、前記溝の両側面を前記リブで圧縮して変形させたものである。
【００１６】
また、前記防水構造において、前記溝の底部を楔形状として前記楔形状の対向する両傾斜面を前記リブの先端部の２つの角部で圧縮して変形させたものである。
【発明の効果】
【００１７】
この発明の電子機器ケースの防水構造によれば、エラストマー部材とリブとの接触圧を大きくして防水性能を高めても、エラストマー部材の支持部が変形しにくい。また、防水ラインにコーナ部があっても寸法精度を高くすることなく水漏れを確実に防止できる。
【００１８】
さらに、防水ラインが２か所に形成されているので、１か所目の防水ラインから水が漏れても２か所目の防水ラインで水漏れを防止することができる。
【発明を実施するための最良の形態】
【００１９】
以下この発明を実施するための最良の形態を実施例に即して説明する。
【実施例１】
【００２０】
図１はこの発明の実施例１である電子機器ケースの防水構造を示す断面図である。図１においてパネル１、キートップ２、プリント基板３は図８で説明したものと同様のものであり、パネル１は図示していなケースに締着されている。そして、キートップ２に設けられたループ状の溝２ａにはパネル１にループ状に形成されたリブ１ａが嵌合している。
【００２１】
溝２ａの自然状態での輪郭線は黒塗り部分の上側であるが組み付け状態でリブ１ａに押されて輪郭線は黒塗り部分の下側となる。すなわち、黒塗り部分は溝２ａが押しつぶされて変形した部分を示す。このようにキートップ２の溝２ａが変形されるようにリブ１ａに圧接されており防水構造が構成されている。
【００２２】
この例ではキートップ２の溝２ａの断面は傾斜した直線状の対向する２つの斜面を有しており、リブ１ａは長方形端部の角を丸めた形状となっている。そして、溝２ａの斜面がリブ１ａの角により圧接されて変形している。
【００２３】
図示のＡおよびＢによりリブ１ａの両角部でキートップ２の溝２ａを圧接する力の大きさおよび方向を示している。力ＡおよびＢの水平分力をＡ１およびＢ１で示し、力ＡおよびＢの水平分力をＡ２およびＢ２で示している。力Ａ１およびＢ１は向きが逆であり大きさが同じであるからキートップ２内に応力を発生させるのみで、キートップ２の支持部に作用する力を発生させない。
【００２４】
力Ａ２およびＢ２は向きが同じであり、キートップ２の支持部に図示の力ＣおびＤの反力を発生させする。しかしながら、ＣおびＤの反力は力ＡおよびＢの分力の和であるため、全体としてリブ１ａがキートップ２の溝２ａを圧接する力の和より小さくなり、結果としてキートップ２の支持部の反力は小さくなりプリント基板３の変形が小さくなる。
【００２５】
また、キートップ２に発生する水平方向の力Ａ１およびＢ１は向きが逆であり大きさが同じであるからキートップ２の水平方向の変形も小さくなる。そして、リブ１ａとキートップ２の溝２ａとで２か所に防水ラインを形成するので、防水性能が向上する。
【００２６】
さらに、溝２ａにコーナ部がある場合にも向きが逆の２つの水平方向の力で溝２ａにリブ１ａが圧接される構造であるため、キートップ２の溝２ａが変形によりリブ１ａに位置合わせされて寸法誤差による隙間が発生せず、水漏れがは発生することがない。結果として溝２ａの突き当てによる変形量を適宜管理するのみで十分な防水性能が得られる。
【実施例２】
【００２７】
図２はこの発明の実施例２である電子機器ケースの防水構造を示す断面図である。図２において、パネル１、キートップ２、プリント基板３は図８で説明したものと同様のものであり、パネル１は図示していなケースに締着されている。そして、キートップ２に設けられたループ状の溝２ａにはパネル１にループ状に形成されたリブ１ａが嵌合している。  溝２ａの自然状態での輪郭線は黒塗り部分の上側であるが組み付け状態でリブ１ａに押されて輪郭線は黒塗り部分の下側となる。すなわち、黒塗り部分は溝２ａが押しつぶされて変形した部分を示す。このようにキートップ２の溝２ａが変形されるようにリブ１ａに圧接されており防水構造が構成されている。
【００２８】
この例ではキートップ２の溝２ａの断面は傾斜した直線状の対向する２つの斜面を有しており、リブ１ａは楔形の根元の角を丸めた形状となっている。そして、溝２ａの斜面がリブ１ａの角により圧接されて変形している。
【００２９】
リブ１ａは溝２ａに実施例１と同様の水平分力おび垂直分力を発生させて、実施例１と同様の作用効果が得られる。この例ではリブ１ａをキートップ２の溝２ａに圧接させるとき傾斜面に沿って滑りやすくキートップ２を傷つける恐れがない。
【実施例３】
【００３０】
図３はこの発明の実施例３である電子機器ケースの防水構造を示す断面図である。図３において、パネル１、キートップ２、プリント基板３は図８で説明したものと同様のものであり、パネル１は図示していなケースに締着されている。そして、キートップ２に設けられたループ状の溝２ａにはパネル１にループ状に形成されたリブ１ａが嵌合している。  溝２ａの自然状態での輪郭線は黒塗り部分の上側であるが組み付け状態でリブ１ａに押されて輪郭線は黒塗り部分の下側となる。すなわち、黒塗り部分は溝２ａが押しつぶされて変形した部分を示す。このようにキートップ２の溝２ａが変形されるようにリブ１ａに圧接されており防水構造が構成されている。
【００３１】
この例ではキートップ２の溝２ａの断面は傾斜した直線状の対向する２つの斜面を有しており、リブ１ａは先端部は半円形形状となっている。そして、溝２ａの斜面がリブ１ａの半円形状部の根元により圧接されて変形している。
【００３２】
リブ１ａは溝２ａに実施例１と同様の水平分力おび垂直分力を発生させて、実施例１と同様の作用効果が得られる。この例ではリブ１ａをキートップ２の溝２ａに圧接させるとき傾斜面に沿って滑りやすくキートップ２を傷つける恐れがない。また、リブ１ａの形状が簡単であり製造コストを安くすることができる。
【実施例４】
【００３３】
図４はこの発明の実施例４である電子機器ケースの防水構造を示す断面図である。図４においてパネル１、キートップ２、プリント基板３は図８で説明したものと同様のものであり、パネル１は図示していなケースに締着されている。そして、キートップ２に設けられたループ状の溝２ａにはパネル１にループ状に形成されたリブ１ａが嵌合している。
【００３４】
溝２ａの自然状態での輪郭線は黒塗り部分の上側であるが組み付け状態でリブ１ａに押されて輪郭線は黒塗り部分の下側となる。すなわち、黒塗り部分は溝２ａが押しつぶされて変形した部分を示す。このようにキートップ２の溝２ａが変形されるようにリブ１ａに圧接されており防水構造が構成されている。
【００３５】
この例ではキートップ２の溝２ａは傾斜した直線状の対向する９０°の挟角を挟む２つの斜面を有しており、リブ１ａの先端部には長方形の部分が形成しておりされており、リブ１ａの先端部の角は丸めた形状となっているそして、溝２ａの斜面がリブ１ａの先端部の角により圧接されて変形している。
【００３６】
リブ１ａは溝２ａに実施例１と同様の水平分力おび垂直分力を発生させて、実施例１と同様の作用効果が得られる。この例ではキートップ２の溝２ａの挟角が大きいので、キートップ２の溝２ａとリブ１ａとの大きい接触圧が得やすく防水性能を高め易い。
【実施例５】
【００３７】
図５はこの発明の実施例５である電子機器ケースの防水構造を示す断面図である。図５においてパネル１、キートップ２、プリント基板３は図８で説明したものと同様のものであり、パネル１は図示していなケースに締着されている。そして、キートップ２に設けられたループ状の溝２ａにはパネル１にループ状に形成されたリブ１ａが嵌合している。
【００３８】
溝２ａの自然状態での輪郭線は黒塗り部分の上側であるが組み付け状態でリブ１ａに押されて輪郭線は黒塗り部分の下側となる。すなわち、黒塗り部分は溝２ａが押しつぶされて変形した部分を示す。このようにキートップ２の溝２ａが変形されるようにリブ１ａに圧接されており防水構造が構成されている。
【００３９】
この例ではキートップ２の溝２ａの断面は傾斜した凸円形状に形成されている。リブ１ａは先端部は長方形の部分が形成しておりされており、リブ１ａの先端部の角は丸めた形状となっているそして、溝２ａの斜面がリブ１ａの角により圧接されて変形している。
【００４０】
リブ１ａは溝２ａに実施例１と同様の水平分力おび垂直分力を発生させて、実施例１と同様の作用効果が得られる。この例では溝２ａの断面が傾斜した凸円形状となっているのでキートップ２の変形が凸円形状部分に限定されて他の部分の変形が小さくなる。
【実施例６】
【００４１】
図６はこの発明の実施例６である電子機器ケースの防水構造を示す断面図である。図６においてパネル１、キートップ２、プリント基板３は図８で説明したものと同様のものであり、パネル１は図示していなケースに締着されている。そして、キートップ２に設けられたループ状の溝２ａにはパネル１にループ状に形成されたリブ１ａが嵌合している。
【００４２】
溝２ａの自然状態での輪郭線は黒塗り部分の内側であるが組み付け状態でリブ１ａに押されて輪郭線は黒塗り外側となる。すなわち、黒塗り部分は溝２ａが押しつぶされて変形した部分を示す。このようにキートップ２の溝２ａが変形されるようにリブ１ａに圧接されており防水構造が構成されている。
【００４３】
この例ではキートップ２の溝２ａの幅はリブ１ａの幅より小さく、リブ１ａの両側面に圧接部分が形成され、防水面の幅が大きくとれ防水性能を高めることができる。また、キートップ２の支持部の反力がさらに小さくなる。
【実施例７】
【００４４】
図７はこの発明の実施例７である電子機器ケースの防水構造を示す断面図である。図７においてパネル１、キートップ２、プリント基板３は図８で説明したものと同様のものであり、パネル１は図示していなケースに締着されている。そして、キートップ２に設けられたループ状の溝２ａにはパネル１にループ状に形成されたリブ１ａが嵌合している。
【００４５】
溝２ａの自然状態での輪郭線は黒塗り部分の内側であるが組み付け状態でリブ１ａに押されて輪郭線は黒塗り外側となる。すなわち、黒塗り部分は溝２ａが押しつぶされて変形した部分を示す。このようにキートップ２の溝２ａが変形されるようにリブ１ａに圧接されており防水構造が構成されている。
【００４６】
この例ではキートップ２の溝２ａの幅はリブ１ａの幅より小さくリブ１ａの両側面に圧接部分が形成される。さらに、リブ１ａの先端部の角により溝２ａの両傾斜面を変形させた圧接力を得ている。この例では防水面の幅が大きくとれ防水性能を高めることができ、さらに、リブ１ａの先端部で大きい圧接力を得ることができる。
【００４７】
実施例は以上のように構成されているが発明はこれに限られず、例えば、キートップをゴムの代わりに合成ゴム等の他のエラストマー部材で構成することもできる。また、キートップの代わりに防水機能のみを有するパッキンを用いることも可能である。
【図面の簡単な説明】
【００４８】
【図１】この発明の実施例１である電子機器ケースの防水構造を示す断面図である。
【図２】この発明の実施例２である電子機器ケースの防水構造を示す断面図である。
【図３】この発明の実施例３である電子機器ケースの防水構造を示す断面図である。
【図４】この発明の実施例４である電子機器ケースの防水構造を示す断面図である。
【図５】この発明の実施例５である電子機器ケースの防水構造を示す断面図である。
【図６】この発明の実施例６である電子機器ケースの防水構造を示す断面図である。
【図７】この発明の実施例７である電子機器ケースの防水構造を示す断面図である。
【図８】従来の電子機器ケースの防水構造の例を示す断面図である。
【図９】従来の電子機器ケースの防水構造の他の例を示す断面図である。
【符号の説明】
【００４９】
１  パネル、  １ａリブ
２  キートップ、２ａ  溝
３  プリント基板
【図１】
2006013096.tif 000003
【図２】
2006013096.tif 000004
【図３】
2006013096.tif 000005
【図４】
2006013096.tif 000006
【図５】
2006013096.tif 000007
【図６】
2006013096.tif 000008
【図７】
2006013096.tif 000009
【図８】
2006013096.tif 000010
【図９】
2006013096.tif 000011